(57)【要約】【課題】  通過センサの設置スペースをより小型化できる構成を備えた通過センサの取り付け構造を提供する。【解決手段】  物体の通過を検知して処理のための信号を出力する通過センサを取り付けるための構造において、前記通過センサの支持部材１１を前記物体の入り口の向きが鉛直未満で水平方向に対して０度よりも大きくなる角度に設定して傾斜させて設けることを特徴としている。【選択図】  図１
2006136427.tif 000002
【特許請求の範囲】
【請求項１】
物体の通過を検知して処理のための信号を出力する通過センサを取り付けるための構造において、
前記通過センサの支持部材を前記物体の入り口の向きが鉛直未満で水平方向に対して０度よりも大きくなる角度に設定して傾斜させて設けることを特徴とする通過センサの取り付け構造。
【請求項２】
請求項１記載の通過センサの取り付け構造において、
前記支持部材の傾斜角度は、前記通過センサの上方に配列されている物体の誘導部の配列角度に平行して物体が進入できる角度に設定されていることを特徴とする通過センサの取り付け構造。
【請求項３】
請求項１または２記載の通過センサの取り付け構造において、
前記通過センサの支持部材は、前記物体が球体である場合、該球体の落下移動が可能な角度に配列されている誘導部に対して前記入り口が直角な関係となる角度に設定されていることを特徴とする通過センサの取り付け構造。
【請求項４】
請求項１乃至３のうちの一つに記載の通過センサの取り付け構造を用いることを特徴とするパチンコ遊技機。
【請求項５】
請求項４記載のパチンコ遊技機において、
前記通過センサの支持部材は、通過物体としてパチンコ球の通過を許容するパスゲート部材であり、該パスゲート部材は、前記パチンコ球が通過し終わる位置に誘導部を備えていることを特徴とするパチンコ遊技機。
【請求項６】
請求項５記載のパチンコ遊技機において、
前記誘導部は、前記パスゲート部材を通過し終わったパチンコ球が下方に配置されている誘導部からの反撥により前記通過センサ内にパチンコ球が再進入するのを防止する構成であることを特徴とするパチンコ球遊技機。
【発明の詳細な説明】
【技術分野】
【０００１】
本発明は、通過センサの取り付け構造およびパチンコ遊技機に関し、さらに詳しくはパチンコ遊技機の盤面に対する通過センサの取り付け構造に関する。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
一方、遊技領域には、複数の図柄や記号を変動表示可能な表示部が設けられており、図柄や記号が一定の組み合わせに揃った場合あるいは一定の条件を満たした場合に遊技盤面に設けてある大入賞口を開放して多くの賞球を払い出すようにした構成がある。
【０００４】
表示内容の抽選は、例えば、始動入賞口とは別に設けてあるパスゲート部と称される部材に設けられた通過センサの位置にパチンコ球が通過するのを検知することによっても開始されるようになっている。
【０００５】
従来、始動入賞口をはじめとして各入賞口は、誘導釘に沿って落下移動するパチンコ球の入り口が鉛直方向に向けられ、落下してくるパチンコ球を導入できるようになっている（例えば、特許文献１）。
【０００６】
この場合、始動入賞口近傍にパスゲート部材を設けた場合には、入賞口への誘導釘の配列方向を考慮してパスゲート部材も同じくパチンコ球の入り口が鉛直方向に向けられており、誘導釘に沿って落下してくるパチンコ球が鉛直に進入できるようにされていることがある。
【０００７】
図５は、パスゲート部材を設けたパチンコ遊技機の一例を示す図であり、同図において、概略構成を説明すると次の通りである。
【０００８】
パチンコ遊技機１００は、外郭方形枠サイズに形成されて縦長の固定保持枠１を構成する外枠１の開口前面に、外枠１に合わせて方形枠サイズに形成された開閉搭載用の前枠２を備えている。
【０００９】
前枠２は、外枠２の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
【００１０】
前枠２の上部領域には、遊技盤５が配置されており、遊技盤５は、所定板圧の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００１１】
遊技領域６には、略中央部に画像表示装置の表示部６ａが配置され、表示部６ａの周りにはセンター飾り６ｂや始動入賞口６ｃおよび大入賞口６ｄなどがそれぞれ配置されている。遊技領域下部にはアウト球を回収するアウト口も設けられており、始動入賞口や大入賞口に入賞せずに落下したアウト球を遊技盤５の背面側から機外に排出できるようになっている。
【００１２】
遊技領域６には、上述した始動入賞口６ｃの近傍において誘導釘Ｐに沿って移動するパチンコ球のうちで、誘導釘Ｐに設けられている配列中の欠け部に相当する誘導釘Ｐのない位置から落下したパチンコ球が鉛直に落下する位置にパスゲート部材１１が設けられている。
【００１３】
また、前枠２の前面上部側には、遊技盤５を視認できるように透明なガラス盤を備えた前扉７が水平方向に開閉可能かつ着脱可能に設けられ、通常は、施錠装置４により閉鎖状態に保持されて遊技盤５の前面を覆っている。
【００１４】
前枠２の前面下部側でガラス扉７の下方には、球受け皿を構成している一体皿８が、前枠２に開閉支持されている背面板（図示されず）に取り付けられて設けてあり、一体皿８は、図示しない施錠装置により通常、閉鎖状態に保持されている。
【００１５】
一体皿８には、パチンコ球が存在する皿部だけではなく、皿部の正面右側下部に発射ハンドル９が、そして、正面左側下部に灰皿１０等が設けられている。
【特許文献１】特開２００４−２３７１０号公報（図９）
【発明の開示】
【発明が解決しようとする課題】
【００１６】
パスゲート部材１１において、パチンコ球の入り口を鉛直方向に設けた場合には、パチンコ球が進入するまでの落下距離を含めてパスゲート部材１１に対するパチンコ球の通路距離が長くなる場合がある。
【００１７】
図６は、図５に示されたパチンコ遊技機１００におけるパスゲート部材１１の近傍を示す図であり、同図において、パスゲート部材１１は、入り口開口を鉛直方向に向けるように遊技盤５に取り付けられている。
【００１８】
また、パスゲート部材１１には、その下方に大入賞口への誘導釘Ｐ１を設けてパスゲート部材１１を通過したパチンコ球が単純に落下するのでなく、大入賞口へ指向する機会を得られるようにして遊技に興趣性を持たせる対策が採られている場合がある。
【００１９】
このため、パスゲート部材１１へのパチンコ球の誘導釘Ｐの最上位のものＰ０Ａが設けられている位置から大入賞口への誘導釘Ｐ１のうちの最下位のものまでの距離Ｓ’がかなり長くことがある。
【００２０】
近年、遊技盤面では表示部６ａの占めるスペースが大きくなる傾向にあるため、図５において符号Ｓで示す領域も小さくなる傾向にある。
【００２１】
一方、図６に示した構成では、パスゲート部材１１の下方に位置する誘導釘Ｐ１の存在により、この誘導釘Ｐ１に衝突したパチンコ球が再度パスゲート部材１１内を通過して再抽選を行わせるような誤動作を生じることがある。
【００２２】
そこで、図７に示すように、誘導釘Ｐ１の一部を取り除くとともにパスゲート部材１１の下方にパチンコ球の通過部に連続する誘導片１１Ｐを設けることにより、誤動作に加えて誘導釘Ｐ１が存在していたスペースを小さくする構成も考えられている。
【００２３】
しかし、誘導片１１Ｐを設けた場合においても、パチンコ球の進入方向が鉛直方向であるため、誘導釘Ｐの最上位のもの（図５において符号Ｐ０Ａで示す）から誘導片１１Ａの下端そして、誘導釘Ｐ１の最下位までの距離をさほど短くできていないのが現状である。
【００２４】
従って、表示部６ａのサイズの大型化に適応できるように、誘導釘の設置スペースを考慮してパスゲート部材の設置スペースを小型化することが要望されてきている。
【００２５】
本発明の目的は、上記従来の通過センサの設置に関する問題に鑑み、通過センサの設置スペースをより小型化できる構成を備えた通過センサの取り付け構造およびパチンコ遊技機を提供することにある。
【課題を解決するための手段】
【００２６】
請求項１記載の発明は、物体の通過を検知して処理のための信号を出力する通過センサを取り付けるための構造において、前記通過センサの支持部材を前記物体の入り口の向きが鉛直未満で水平方向に対して０度よりも大きくなる角度に設定して傾斜させて設けることを特徴としている。
【００２７】
請求項２記載の発明は、請求項１記載の通過センサの取り付け構造において、前記支持部材の傾斜角度は、前記通過センサの上方に配列されている物体の誘導部の配列角度に平行して物体が進入できる角度に設定されていることを特徴としている。
【００２８】
請求項３記載の発明は、請求項１または２記載の通過センサの取り付け構造において、前記通過センサの支持部材は、前記物体が球体である場合、該球体の落下移動が可能な角度に配列されている誘導部に対して前記入り口が直角な関係となる角度に設定されていることを特徴としている。
【００２９】
請求項４記載の発明は、請求項１乃至３のうちの一つに記載の通過センサの取り付け構造をパチンコ遊技機に用いることを特徴としている。
【００３０】
請求項５記載の発明は、請求項４記載のパチンコ遊技機において、前記通過センサの支持部材は、通過物体としてパチンコ球の通過を許容するパスゲート部材であり、該パスゲート部材は、前記パチンコ球が通過し終わる位置に誘導部を備えていることを特徴としている。
【００３１】
請求項６記載の発明は、請求項５記載のパチンコ遊技機において、前記誘導部は、前記パスゲート部材を通過し終わったパチンコ球が下方に配置されている誘導部からの反撥により前記通過センサ内にパチンコ球が再進入するのを防止する構成であることを特徴としている。
【発明の効果】
【００３２】
請求項１記載の発明によれば、通過センサの支持部材が鉛直未満で水平方向に対して０度よりも大きい角度で傾斜させて設けられているので、支持部材の鉛直方向での占有スペースを鉛直方向に設置した場合と違って変化させることができる。これにより、鉛直方向での丈が大きい支持部材である場合には、その寸法で占める鉛直方向でのスペースを小さくすることが可能となる。しかも、水平方向に対して０度よりも大きい角度であるので、物体の落下移動を阻害しないですむことにより、通過センサへの進入も可能にして通過センサによる通過検知機能を損ねないようにすることが可能となる。
【００３３】
請求項２および３記載の発明によれば、支持部材の傾斜角度が誘導部の配列角度に平行させて物体が進入できる角度とされ、特に請求項３記載の発明においては物体を球体とした場合に支持部材側の入り口が誘導部の配列方向に対して直角な関係とされているので、移動してくる物体の移動方向を変化させることなく対応させることができ、物体の移動方向が誘導路の配列角度から入り口に向けて鉛直方向に変化するような場合と違って物体の進入性を適当化することができる。
【００３４】
請求項４記載の発明によれば、通過センサの支持部材が傾斜させた構成であるので、鉛直方向に設置した場合と違って鉛直方向での設置スペースを小さくする状態に変更することができる。これにより、遊技盤に設けてある表示部の占有スペースが大きくなっても通過センサはもちろんのこと、誘導部の設置スペースを確保することが可能となる。
【００３５】
請求項５記載の発明によれば、通過センサの支持部材が抽選開始のために用いられてパチンコ球が通過し終わる位置に誘導部を備えているパスゲート部材を用いた場合、誘導部を含めた鉛直方向の寸法が大きくても、傾斜させることで鉛直方向の設置スペースを小さくすることが可能となる。これにより、表示部の占有スペースが大きくなった場合でも、パスゲート部材の設置位置上方に配列される誘導釘である追い釘の配列スペースを確保することが可能となる。
【００３６】
請求項６記載の発明によれば、パスゲート部材における誘導部の構成として、パスゲート部材内を通過し終わったパチンコ球が大入賞口への誘導用として設けられている誘導釘からの反撥により通過センサ内に再侵入しないようにされているので、再侵入による誤動作を防止することができると共に、この誤動作防止のための誘導部を備えたパスゲート部材の設置スペースを小さくすることができる。
【発明を実施するための最良の形態】
【００３７】
以下、図面に示す実施例により本発明を実施するための最良の形態について説明する。
【実施例】
【００３８】
図１は、本実施例による通過センサの取り付け構造を説明するための図であり、同図に示されている取り付け構造は、図４に示したパチンコ遊技機に適用されている。
【００３９】
図１において通過センサは、これの支持部材に相当するパスゲート部材（便宜上、符号１１で示す）に設けられており、パスゲート部材１１は、通過センサの検知対象物体となるパチンコ球などの球体が入り込む入り口の向き（入り口面が含まれる平面に垂直な線の方向／換言すると入り口の中心線又は軸線（このように表現される線を図１中では、Ｌ１とする））が鉛直未満で水平方向に対して０度よりも大きくなる角度に設定されている。ここで、鉛直未満とは、水平面に対して垂直な方向を含まないという意味であり、水平方向に対して０度よりも大きくなる角度とは、水平方向を含まない方向を意味する。即ち、鉛直未満で水平方向に対して０度よりも大きくなる角度とは、水平方向と鉛直方向を含まず、パスゲート部材１１の入り口は、水平方向と鉛直方向を含まない範囲で、上方に向いていることを意味する。
【００４０】
つまり、パスゲート部材１１の傾斜角度（θ）は、パスゲート部材１１の上方に配列されている誘導釘Ｐの配列方向（図１中、符号Ｌ１’出示す中心線の向き）に平行（図１中、符号Ｌ１で示す中心線の向き）してパチンコ球が進入できる角度に設定されており、通過センサおよびパスゲート部材１１の入り口が誘導釘Ｐの配列方向に対して直角な関係となる角度に設定されて配置されている。
【００４１】
上述した角度に傾斜した状態を設定されているパスゲート部材１１の入り口側には、命釘Ｐ１が設けられている。
【００４２】
パスゲート部材１１は、上述した入り口の向きを維持して遊技盤５に取り付けられるが、その取り付けに際しては、パスゲート部材１１の締結部が用いられる。
【００４３】
つまり、パスゲート部材１１は、図２に示すように、遊技盤５の表面に固定される基板部１１Ａと通過センサを固定するホルダ部１１Ｂとで構成されている。そして、ホルダ部１１Ｂは、遊技盤５に設けられているルータ（役物取り付け孔）内に挿通され、基板部１１Ａを締結することにより遊技盤５に固定される。
【００４４】
このため、遊技盤５に形成されるルータの形成角度を上記条件に合わせて形成することによりルータ内にホルダ部１１Ｂが挿入されたパスゲート部材１１をその入り口が遊技釘Ｐの配列角度と平行して傾いた状態で取り付けられる。
【００４５】
本実施例では、入り口の傾き角度として、金属製の誘導釘Ｐを用いた場合の配列角度が水平方向に対して３０度前後であることを考慮して、水平方向に対して２７〜３０度に設定している。
【００４６】
本実施例は、以上のような構成であるから、遊技盤５に設けられているパスゲート部材１１は、誘導釘Ｐの下方でその誘導釘Ｐの配列角度（水平方向に対し）に平行した状態に取り付けられる。
【００４７】
これにより、パスゲート部材１１が占有する鉛直方向でのスペースは、図５に示した従来構造の場合に比べて小さくすることができる。つまり、パスゲート部材１１の基板部１１Ａの長さを基準とした場合、その鉛直方向で必要とされている設置スペースが正弦関係に基づき小さく変化させることができる。しかも、水平方向に対してパチンコ球の落下移動を阻害しない角度としているので、通過センサによる通過検知を確実に行える状態を維持することになる。
【００４８】
本発明者は、本実施例と従来構造とにおいて鉛直方向での占有スペースを比較したところ、両者間でおおむね１０〜２０ｍｍの差が得られることを確認した。
【００４９】
本実施例によれば、パスゲート部材１１を傾斜させるだけの簡単な構成により、誘導釘Ｐの下方に位置するパスゲート部材１１の設置スペース、特に鉛直方向でのスペースを小さくできるので、表示部６ａのサイズが大きくなった場合においても誘導釘Ｐの配置スペースを確保することが可能となる。
【００５０】
次に本実施例における要部の変形例について説明する。
【００５１】
本例は、パスゲート部材１１における通過センサを通パチンコ球が通過し終わった位置にパスゲート部材１１の下方に位置する誘導釘から反撥したパチンコ球を再度進入させないようにした構成を備えており、図６に示した構成と機能を同じにしている。
【００５２】
図３において、パスゲート部材１１には、パチンコ球が通過センサを通過しし終わる出口側、つまり、パスゲート部材１１の下部には、誘導部１１Ｃが設けられている。誘導部１１Ｃは、通常、パスゲート部材１１の下方において遊技盤５に設けてある誘導釘に換わる部材であり、パスゲート部材１１を通過したパチンコ球をパスゲート部材１１の下方に配置されている大入賞口６ｄに誘導するためと、パスゲート部材１１の下方に配置されている誘導釘Ｐ１から反撥したパチンコ球が通過センサに再侵入するのを阻止するために用いられる。
【００５３】
本実施例においても、図１に示した構成と同様に、パスゲート部材１１の入り口がその上方に位置する誘導釘Ｐの配列角度と直角になる状態に傾けてある。
【００５４】
このような構成においては、通常、誘導部１１Ｃが存在することにより鉛直方向での設置スペースが、図１に示した構成のパスゲート部材１１の場合よりも大きくなるが、傾斜させたことにより鉛直方向での設置スペースを小さくすることができる。
【００５５】
なお、誘導部１１Ｃの構成としては、図３に示した場合のようなパチンコ球の出口側で一方側に設けることに限らず、図４に示すように両側（便宜上、符号１１Ｃ、１１Ｃ’で示す）に設けてパチンコ球の再進入をより確実に阻止するようにしてもよい。
【図面の簡単な説明】
【００５６】
【図１】本発明実施例による通過センサの取り付け構造を説明するための図である。
【図２】本発明実施例に用いられる通過センサを装備した支持部材としてのパスゲート部材の構成を示す図である。
【図３】本発明実施例による取り付け構造に用いられる通過センサの要部変形例を示す図である。
【図４】図３に示した通過センサの要部の他の変形例を示す図である。
【図５】通過センサの取り付け構造に関する従来例を説明するために用いるパチンコ遊技機の正面図である。
【図６】通過センサの支持部材として用いられるパスゲート部材の一例を示す図である。
【図７】通過センサの支持部材として用いられるパスゲート部材の他の例を示す図である。
【符号の説明】
【００５７】
５          遊技盤
１１        パスゲート部材
１１Ａ      基板部
１１Ｂ      ホルダ部
Ｐ、Ｐ１    誘導釘
１００      パチンコ遊技機
【図１】
2006136427.tif 000003
【図２】
2006136427.tif 000004
【図３】
2006136427.tif 000005
【図４】
2006136427.tif 000006
【図５】
2006136427.tif 000007
【図６】
2006136427.tif 000008
【図７】
2006136427.tif 000009